(57)【特許請求の範囲】
【請求項１】
止水ゲート扉体に横軸排水ポンプが厚さ方向の通水を可能に組み付けられ、前記止水ゲート扉体が一方の水域と他方の水域の境界部で開閉手段により昇降して、前記境界部に立設したゲート脚の呑口を開閉するポンプゲートにおいて、前記横軸排水ポンプをポンプの吐出口径よりも上下方向寸法が大きな保持板に取り付けるとともに、止水ゲート扉体に昇降案内溝を設け、前記ポンプ保持板を前記昇降案内溝に昇降可能に嵌合することで、前記止水ゲート扉体に前記横軸排水ポンプの着脱を可能に組み付けられていることを特徴とするポンプゲート。
【請求項２】
前記横軸排水ポンプが排水方向上流側のポンプ本体部と、排水方向下流側の逆流防止弁部とからなり、前記止水ゲート扉体に前記逆流防止弁部が固定され、前記ポンプ本体部が昇降による着脱を可能に前記止水ゲート扉体に組み付けられている請求項１に記載のポンプゲート。
【請求項３】
前記ゲート脚の上部に前記ゲート開閉手段設置床を設け、前記開閉手段設置床は、横軸排水ポンプ着脱時にポンプを昇降させる開口部を備えている請求項１または請求項２のいずれかに記載のポンプゲート。
【発明の詳細な説明】
【０００１】
【発明の属する技術分野】
本発明は、水路に設置されるポンプゲートに関する。
【０００２】
【従来の技術】
従来より、図１１および図１２に示すように、内水域１と外水域２の境界部にコンクリート製のゲート脚４を立設し、このゲート脚４の下端部に開口した呑口４Ａが開閉される止水ゲート扉体３を昇降可能に設け、この止水ゲート扉体３に、たとえばアウターロータ型横軸水中ポンプによってなる２台の横軸排水ポンプ５，５を組み付けたポンプゲートが知られている。
【０００３】
横軸排水ポンプ５は、排水方向上流側のポンプ本体部５０と、排水方向下流側の逆流防止弁部５１とを備えている。ポンプ本体部５０は、止水ゲート扉体３の厚さＴ方向に設けた貫通孔３Ａに挿脱可能に嵌合し、かつ着脱可能に固定した状態で止水ゲート扉体３に組み付けられ、その先端吸込口５Ａを内水域１に臨ませてあり、逆流防止弁部５１は、外水域２に臨ませてポンプ本体部５０に着脱可能に取付けられ、その後端吐出口５Ｂには、内水域１から外水域２への水の流れを許容し、かつ外水域２から内水域１への水の流れ（逆流）を止めるように開閉するフラップ弁６が取付けられている。
【０００４】
この種のポンプゲートによれば、ゲート脚４の上端部に設けた開閉手段設置床７に設置されている開閉手段８により、スピンドル９，９を介して止水ゲート扉体３を下降させた呑口４Ａの全閉状態で排水ポンプ５を運転することにより、内水域１の水は、排水ポンプ５の吸込口５Ａから吸込まれ、その水圧によりフラップ弁６を押し開けて外水域２に吐出（排水）される。また、止水ゲート扉体３による呑口４Ａの全閉状態で排水ポンプ５の運転を停止すると、内水域１から外水域２への排水が停止されるとともに、フラップ弁６はその自重と外水域２の水圧との複合的な作用で自動的に閉じられ、外水域２の水位が内水域１の水位より高くても、外水域２から内水域１への逆流を防止できる。さらに、内水域１の水位が外水域２の水位より高い場合には、開閉手段８によりスピンドル９，９を介して止水ゲート扉体３を吊り上げて、呑口４Ａを全開することによって、内水域１の水を外水域２Ｂに自然流下（自然排水）させることができる。
【０００５】
【発明が解決しようとする課題】
ところで、前記従来のポンプゲートでは、外水域２の水位が内水域１の水位よりも高く、したがって、止水ゲート扉体３を下降させた呑口４Ａの全閉状態で排水ポンプ５を運転しなくてはならない状況下において、万一、排水ポンプ５が故障した場合、排水ポンプ５を止水ゲート扉体３から取り外して修理したり、正常な排水ポンプと交換したくても、止水ゲート扉体３から排水ポンプ５を取り外すと、貫通孔３Ａを介して外水域２と内水域１が連通する状態になり、水位の高い外水域２から水位の低い内水域１に水が逆流することになるので、排水ポンプ５の修理や交換がきわめて困難であった。
【０００６】
一方、仮に、水位の高い外水域２から水位の低い内水域１に水が逆流するのを許容できたとしても、排水ポンプ５を止水ゲート扉体３から取り外すためには、図１１に示す中間ステージ１０や矢印Ｌ方向に横行可能な吊り上げ式のチェーンブロック１１などの特別な取り外し設備の設置が必要になるばかりか、以下のような煩雑な取り外し作業が必要になる。
【０００７】
すなわち、止水ゲート扉体３から排水ポンプ５を取り外すためには、
（１）排水ポンプ５の運転を停止して開閉手段８により止水ゲート扉体３を中間ステージ１０のレベルまで引き上げる（この状態で外水域２から内水域１に水が逆流する）。
（２）中間ステージ１０上の作業者により止水ゲート扉体３に対する排水ポンプ５の組み付けボルト、詳しくは止水ゲート扉体３に対するポンプ本体部５０の組み付けボルト（図示省略）を外し、チェーンブロック１１で排水ポンプ５を横方向に移動させて止水ゲート扉体３の貫通孔３Ａから引き出し、中間ステージ１０上に載せる。
（３）中間ステージ１０上でポンプ本体部５０から逆流防止弁部５１を取り外す。
（４）ポンプ本体部５０から取り外した逆流防止弁部５１を止水ゲート扉体３の貫通孔３Ａに対応させて止水ゲート扉体３に取付けるか、貫通孔３Ａを別途容易した閉塞板によって塞ぐか、あるいは正常な排水ポンプを止水ゲート扉体３に組み付ける。
（５）開閉手段８により止水ゲート扉体３を降ろして呑口４Ａを塞ぐ。なお、正常な排水ポンプを交換して組み付けた場合には、このポンプの運転を再開することができる。
（６）前記（４）において逆流防止弁部５１を貫通孔３Ａに対応させて止水ゲート扉体３に取付けた状態または貫通孔３Ａを別途容易した閉塞板によって塞いだ状態で、前記（５）において止水ゲート扉体３を降ろして呑口４Ａを塞いでいる場合には、その間にポンプ本体部５０またはポンプ本体部５０と逆流防止弁部５１の修理を行なう。
（７）ポンプ本体部５０またはポンプ本体部５０と逆流防止弁部５１の修理が完了したならば、開閉手段８により止水ゲート扉体３を中間ステージ１０のレベルまで引き上げる（この状態で外水域２から内水域１に水が再度逆流する）。
（８）止水ゲート扉体３に取付けた逆流防止弁部５１を取り外して修理が完了したポンプ本体部５０に取付けるかまたは止水ゲート扉体３から閉塞板を取り外す。
（９）修理が完了した排水ポンプ５を止水ゲート扉体３に組み付けたのち、開閉手段８により止水ゲート扉体３を降ろして呑口４Ａを塞いで、排水ポンプ５の運転を行なう。
【０００８】
このように、従来のポンプゲートでは、排水ポンプ５を運転しなくてはならない状況下において、排水ポンプ５を修理したり正常な排水ポンプと交換することがきわめて困難であるばかりか、特別な取り外し設備の設置が必要になるとともに、煩雑な取り外し作業が必要になるなどの問題を有している。
【０００９】
本発明は、このような事情に鑑みてなされたもので、止水ゲート扉体を吊り上げることなく、また特別な取り外し設備に頼ることなく、横軸排水ポンプまたは該排水ポンプのポンプ本体部のみを容易に取り外すことができるポンプゲートを提供することを目的としている。
【００１０】
【課題を解決するための手段】
前記目的を達成するために、請求項１に記載の発明に係るポンプゲートは、止水ゲート扉体に横軸排水ポンプが厚さ方向の通水を可能に組み付けられ、前記止水ゲート扉体が一方の水域と他方の水域の境界部で開閉手段により昇降して、前記境界部に立設したゲート脚の呑口を開閉するポンプゲートにおいて、前記横軸排水ポンプをポンプの吐出口径よりも上下方向寸法が大きな保持板に取り付けるとともに、止水ゲート扉体に昇降案内溝を設け、前記ポンプ保持板を前記昇降案内溝に昇降可能に嵌合することで、前記止水ゲート扉体に前記横軸排水ポンプの着脱を可能に組み付けられていることを特徴としている。
【００１１】
また、請求項２に記載の発明に係るポンプゲートは、前記横軸排水ポンプが排水方向上流側のポンプ本体部と、排水方向下流側の逆流防止弁部とからなり、前記止水ゲート扉体に前記逆流防止弁部が固定され、前記ポンプ本体部が昇降による着脱を可能に前記止水ゲート扉体に組み付けられている。
【００１２】
さらに、請求項３に記載の発明のように、前記ゲート脚の上部に前記ゲート開閉手段設置床を設け、前記開閉手段設置床は、横軸排水ポンプ着脱時にポンプを昇降させる開口部を備えていることが好ましい。
【００１３】
請求項１に記載の発明によれば、横軸排水ポンプが止水ゲート扉体に沿って昇降可能に止水ゲート扉体に組み付けられているので、他方の水域から一方の水域への水の逆流が許容される状況下であれば、止水ゲート扉体を吊り上げることなく、排水ポンプのみを吊り上げて止水ゲート扉体から取り外すことができる。
【００１４】
請求項２に記載の発明によれば、他方の水域から一方の水域への水の逆流が許容されない場合でも、止水ゲート扉体を吊り上げることなく、しかも逆流防止弁部により逆流を防止した状態で、ポンプ本体部のみを吊り上げて止水ゲート扉体から取り外すことができる。
【００１５】
請求項３に記載の発明によれば、横軸排水ポンプを吊り上げて止水ゲート扉体から取り外すことができる。
【００１６】
【発明の実施の形態】
以下、本発明の実施の形態を図面に基づいて説明する。図１は本発明の第１実施の形態を示す縦断側面図、図２は止水ゲート扉体とポンプの分離状態を示す拡大斜視図である。なお、前記図１１および図１２の従来例と同一もしくは相当部分には、同一符号を付して重複する構造および作用の説明は省略する。
【００１７】
図１および図２において、止水ゲート扉体３には、幅Ｗ方向の間隔を隔ててポンプ格納部１２，１２を設けてある。これらポンプ格納部１２，１２は、２台の横軸排水ポンプ５，５が厚さＴ方向の通水を可能、かつ昇降による着脱を可能に組み付けられるもので、その上端部と外水域２に臨む面３Ｂ側を開口し、内水位域１に臨む面３Ｃ側は上端横架部３Ｄを残して開口３Ｅした有底状に形成されており、内水位域１に臨む面３Ｃ側にＵ字状の昇降案内溝１４が設けられている。また、内水位域１に臨む面３Ｃの四周縁部にゴム製のシール材１６が取付けられている。
【００１８】
止水ゲート扉体３には、その幅Ｗ方向の両端部に上下方向全長にのびるスライド部３０が形成され、これらスライド部３０がゲート脚４に埋め込まれている金属製の戸当り４０に昇降可能に嵌合される。したがって、図１および図３に示すゲート脚４の上端部に設けた開閉手段設置床７に設置されている開閉手段８を操作することにより、スピンドル９，９を介して止水ゲート扉体３を昇降させて、呑口４Ａを開閉することができる。
【００１９】
一方、図２に示すように、横軸排水ポンプ５はポンプ保持板１７に取付けられている。このポンプ保持板１７は、前記Ｕ字状の昇降案内溝１４に昇降可能に嵌合し得る大きさと形状のもので、その裏面の外縁部全周にゴム製等のシール材１８を配してある。排水ポンプ５は、ポンプ本体部５０の吸込口５Ａ側をポンプ保持板１７の下端部に設けた貫通孔１７Ａに挿入して、該吸込口５Ａをポンプ保持板１７の裏側に開口させてある。したがって、ポンプ保持板１７を昇降案内溝１４に落とし込んで嵌合することにより、排水ポンプ５は止水ゲート扉体３に対して、水密を保持した状態で厚さＴ方向の通水を可能にし、かつ昇降による着脱を可能に組み付けられる。つまり、ポンプ保持板１７に配したシール材１８がＵ字状の昇降案内溝１４と止水ゲート扉体３における上端横架部３Ｄとに密着して水密が保持され、ポンプ本体部５０の吸込口５Ａがポンプ保持板１７の裏側に開口して止水ゲート扉体３における内水位域１に臨む面３Ｃ側の開口３Ｅに対応することにより厚さＴ方向の通水が確保されるとともに、ポンプ保持板１７がＵ字状の昇降案内溝１４に昇降可能に嵌合されることで、昇降による着脱が可能に組み付けられることになる。
【００２０】
このような構成であれば、水位の高い外水域２から水位の低い内水域１への水の逆流が許容される状況下において、万一、排水ポンプ５が故障した場合、この排水ポンプ５を修理したり、正常な排水ポンプと交換するのに際して、従来のように止水ゲート扉体３を吊り上げることなく、また、特別な取り外し設備に頼ることなく、図２に示すように排水ポンプ５のみを吊り上げて止水ゲート扉体３から容易に取り外すことができる。当然、修理された排水ポンプ５あるいは交換された正常な排水ポンプを吊り降ろして、図１および図３に示すように、止水ゲート扉体３に容易に組み付けることができる。
【００２１】
つぎに、本発明の第２実施の形態について説明する。図４は第２実施の形態を示す縦断側面図、図５は止水ゲート扉体とポンプ本体部の分離状態を示す拡大斜視図である。なお、前記図１〜図３の第１実施の形態および図１１，図１２の従来例と同一もしくは相当部分には、同一符号を付して重複する構造および作用の説明は省略する。
【００２２】
図４および図５において、止水ゲート扉体３におけるポンプ格納部１２，１２は、その上端部を開口し、内水域１に臨む面３Ｃ側は上端横架部３Ｄを残して開口３Ｅするとともに、外水域２に臨む面３Ｂ側は閉塞部１９によって閉塞した有底状に形成されており、閉塞部１９の裏側にＵ字状の昇降案内溝１４が設けられている。
【００２３】
排水ポンプ５における逆流防止弁部５１は、閉塞部１９に取付けられている。すなわち、逆流防止弁部５１は、フラップ弁６の反対側を閉塞部１９の下端部近くに設けた貫通孔１９Ｂに挿入し、その裏側に開口させてある。
【００２４】
一方、排水ポンプ５のポンプ本体部５０はポンプ保持板１７に取付けられている。このポンプ保持板１７は、前記Ｕ字状の昇降案内溝１４に昇降可能に嵌合し得る大きさと形状のもので、その表面の外縁部全周にゴム製のシール材１８を配してある。ポンプ本体部５０は、その吐出口５０Ａ側をポンプ保持板１７の下端部に設けた貫通孔１７Ａに挿入して、該吐出口５０Ａをポンプ保持板１７の表側に開口させてある。したがって、ポンプ保持板１７を昇降案内溝１４に落とし込んで嵌合することにより、排水ポンプ５は止水ゲート扉体３に対して、水密を保持した状態で厚さＴ方向の通水を可能にし、かつ昇降による着脱を可能に組み付けられる。つまり、ポンプ保持板１７に配したシール材１８がＵ字状の昇降案内溝１４における閉塞部１９側の内面に密着して水密が保持され、ポンプ本体部５０の吸込口５Ａが内水位域１に臨む面３Ｃ側の開口３Ｅに対応し、かつポンプ本体部５０の吐出口５ＯＡが逆流防止弁部５１の入口に対応することにより厚さＴ方向の通水が確保されるとともに、ポンプ保持板１７がＵ字状の昇降案内溝１４に昇降可能に嵌合されることで、昇降による着脱が可能に組み付けられることになる。
【００２５】
このような構成であれば、外水域２の水位が内水域１の水位よりも高く、したがって、止水ゲート扉体３を下降させた呑口４Ａの全閉状態で排水ポンプ５を運転しなくてはならない状況下において、万一、排水ポンプ５が故障しても、この排水ポンプ５を修理したり、正常な排水ポンプと交換するのに際して、従来のように止水ゲート扉体３を吊り上げることなく、また逆流防止弁部５１のフラップ弁６により逆流を防止した状態で、しかも特別な取り外し設備に頼ることなく、図５に示すように、ポンプ本体部５０のみを吊り上げて止水ゲート扉体３から容易に取り外すことができる。当然、修理されたポンプ本体部５０あるいは交換された正常なポンプ本体部を吊り降ろして、図４に示すように、止水ゲート扉体３と逆流防止弁部５１の間に介在して昇降可能かつ水密に逆流防止弁部５１に組み付けることができる。
【００２６】
前記第１および第２実施の形態において、図３に示すように、２台の排水ポンプ５，５と２本のスピンドル９，９とを止水ゲート扉体３の幅方向の間隔ｗ１を隔てて配置するとともに、図６に示すように、開閉手段設置床７に開口部７Ａを設けることで、たとえば、レッカー車により開口部７Ａを利用してスピンドル９，９に干渉することなく排水ポンプ５，５を吊り上げて止水ゲート扉体５からスムーズに取り外すことができる。当然、修理された排水ポンプ５や交換された正常な排水ポンプ５または修理されたポンプ本体部５０や交換された正常なポンプ本体部５０をレッカー車により吊り降ろして、スピンドル９に干渉することなく組み付けることができる。
【００２７】
図１および図２で説明した第１実施の形態は、これら図示例の構成のみに限定されるものではなく、従来の止水ゲート扉体３を使用して、図７および図８に示すように構成してもよい。すなわち、止水ゲート扉体３に設けてある貫通孔３Ａをそのまま通水孔３Ａとして使用する。また、止水ゲート扉体３の外水域２に臨む面３Ｂに基板２１が水密に取付けられている。この基板２１は、幅Ｗ方向の中央部に上端横架部３Ｄを残して切欠部１３が形成され、この切欠部１３の外縁部における表面側にＵ字状の昇降案内溝１４が設けられているとともに、昇降案内溝１３の幅Ｗ方向両側の表面に上下にのびる補強部材１５が取付けられている。また、基板２１の裏面における四周縁部にゴム製のシール材１６が取付けられ、このシール材１６を止水ゲート扉体３における外水域２側の面３Ｂに密着させ、かつ切欠部１３の下端部を通水孔３Ａに対応させた状態で、図示していない複数本のボルトによって基板２１を止水ゲート扉体３の外水域２側の面３Ｂに締結してある。
【００２８】
一方、横軸排水ポンプ５は、図２に示す第１実施の形態と同様にポンプ保持板１７に取付けられる。したがって、ポンプ保持板１７を昇降案内溝１４に落とし込んで嵌合することにより、排水ポンプ５は止水ゲート扉体３に対して、水密を保持した状態で厚さＴ方向の通水を可能にし、かつ昇降による着脱を可能に組み付けられる。つまり、ポンプ保持板１７に配したシール材１８がＵ字状の昇降案内溝１４と止水ゲート扉体３における上端横架部３Ｄとに密着して水密が保持され、ポンプ本体部５０の吸込口５Ａがポンプ保持板１７の裏側に開口して切欠部１３に対応することにより厚さＴ方向の通水が確保されるとともに、ポンプ保持板１７がＵ字状の昇降案内溝１４に昇降可能に嵌合されることで、昇降による着脱が可能に組み付けられることになる。
【００２９】
このような構成であっても、水位の高い外水域２から水位の低い内水域１への水の逆流が許容される状況下において、万一、排水ポンプ５が故障した場合、この排水ポンプ５を修理したり、正常な排水ポンプと交換するのに際して、従来のように止水ゲート扉体３を吊り上げることなく、また、特別な取り外し設備に頼ることなく、図８に示すように排水ポンプ５のみを吊り上げて止水ゲート扉体３から容易に取り外すことができる。当然、修理された排水ポンプ５あるいは交換された正常な排水ポンプを吊り降ろして、図７に示すように、止水ゲート扉体３に容易に組み付けることができる。
【００３０】
また、図４および図５で説明した第２実施の形態は、これら図示例の構成のみに限定されるものではなく、従来の止水ゲート扉体３を使用して、図９および図１０に示すように構成してもよい。すなわち、基板２１には、その幅Ｗ方向の中央部に外水域２方向に突出する角形のポンプ格納部１２が形成され、このポンプ格納部１２は、幅Ｗ方向で対向する側壁１２Ａ，１２Ａと、これら側壁１２Ａ，１２Ａの突出端部を連続させる逆流防止弁保持壁１２Ｂとを備え、幅Ｗ方向両側に平坦部２０が設けられ、平坦部２０の表面に上下にのびる補強部材１５が取付けられている。
【００３１】
ポンプ格納部１２は、その上端部を開口し、内水域１に臨む面側は上端横架部３Ｄを残して開口３Ｅするとともに、外水域２に臨む面側は逆流防止弁保持壁１２Ｂによって閉塞した有底状に形成されており、逆流防止弁保持壁１２Ｂの内側にＵ字状の昇降案内溝１４が設けられている。また、基板２１の裏面における四周縁部にゴム製のシール材１６が取付けられ、このシール材１６を止水ゲート扉体３における外水域に臨む面３Ｂに密着させ、かつ開口３Ｅの下端部を通水孔３Ａに対応させた状態で、図示していない複数本のボルトによって基板２１を止水ゲート扉体３の外水域２側の面３Ｂに締結してある。
【００３２】
排水ポンプ５における逆流防止弁部５１は、ポンプ格納部１２における逆流防止弁保持壁１２Ｂに取付けられている。すなわち、逆流防止弁部５１は、フラップ弁６の反対側を逆流防止弁保持壁１２Ｂの下端部近くに設けた貫通孔１２Ｃに挿入して、逆流防止弁保持壁１２Ｂの裏側に開口させてある。したがって、基板２１を止水ゲート扉体３に締結した状態で、フラップ弁６の反対側、つまり逆流防止弁部５１の入口が開口１４Ｂに対応する。
【００３３】
一方、排水ポンプ５のポンプ本体部５０は、図５に示す第２実施の形態と同様にポンプ保持板１７に取付けられる。したがって、ポンプ保持板１７を昇降案内溝１４に落とし込んで嵌合することにより、排水ポンプ５は止水ゲート扉体３に対して、水密を保持した状態で厚さＴ方向の通水を可能にし、かつ昇降による着脱を可能に組み付けられる。つまり、ポンプ保持板１７の表面に配したシール材１８がＵ字状の昇降案内溝１４における逆流防止弁保持壁１２Ｂ側の内面に密着して水密が保持され、ポンプ本体部５０の吸込口５Ａが開口３Ｅに対応し、かつポンプ本体部５０の吐出口が逆流防止弁部５１の入口に対応することにより厚さＴ方向の通水が確保されるとともに、ポンプ保持板１７がＵ字状の昇降案内溝１４に昇降可能に嵌合されることで、昇降による着脱が可能に組み付けられることになる。
【００３４】
このような構成であっても、水位の高い外水域２から水位の低い内水域１への水の逆流が許容される状況下において、万一、排水ポンプ５が故障した場合、この排水ポンプ５を修理したり、正常な排水ポンプと交換するのに際して、従来のように止水ゲート扉体３を吊り上げることなく、また、特別な取り外し設備に頼ることなく、図１０に示すように排水ポンプ５のみを吊り上げて止水ゲート扉体３から容易に取り外すことができる。当然、修理された排水ポンプ５あるいは交換された正常な排水ポンプを吊り降ろして、図９に示すように、止水ゲート扉体３に容易に組み付けることができる。
【００３５】
なお、前記第１および第２の実施の形態では、止水ゲート扉体３に２台の排水ポンプ５を組み付けた構成で説明しているが、止水ゲート扉体３に組み付けられる排水ポンプ５は１台であってもよい。また、第１および第２の実施の形態それぞれの変形例では、止水ゲート扉体３に１台の排水ポンプ５を組み付けた構成で説明しているが、止水ゲート扉体３に組み付けられる排水ポンプ５は２台であってもよい。
【００３６】
【発明の効果】
以上説明したように、本発明に係るポンプゲートは構成されているので、以下のような格別の効果を奏する。
【００３７】
請求項１に記載の発明によれば、水位の高い水域から水位の低い水域への水の逆流が許容される状況下において、万一、横軸排水ポンプが故障した場合、この排水ポンプを修理したり、正常な排水ポンプと交換するのに際して、従来のように止水ゲート扉体を吊り上げることなく、また、特別な取り外し設備に頼ることなく、排水ポンプのみを吊り上げて止水ゲート扉体から容易に取り外すことができる。
【００３８】
請求項２に記載の発明によれば、他方の水域の水位が一方の水域の水位よりも高く、したがって、止水ゲート扉体を下降させた呑口の全閉状態で横軸排水ポンプを運転しなくてはならない状況下において、万一、排水ポンプが故障しても、この排水ポンプを修理したり、正常な排水ポンプと交換するのに際して、従来のように止水ゲート扉体を吊り上げることなく、また、逆流防止弁部により逆流を防止した状態で、しかも特別な取り外し設備に頼ることなく、ポンプ本体部のみを吊り上げて止水ゲート扉体から容易に取り外すことができる。
【００３９】
請求項３に記載の発明によれば、前記ゲート脚の上部に前記ゲート開閉手段設置床を設け、前記開閉手段設置床は、横軸排水ポンプ着脱時にポンプを昇降させる開口部を備えていることで、排水ポンプを吊り上げて止水ゲート扉体からスムーズに取り外すことができる。
【図面の簡単な説明】
【図１】  本発明の第１実施の形態を示す縦断側面図である。
【図２】  第１実施の形態の扉体とポンプの分離状態を示す拡大斜視図である。
【図３】  一部を断面にして示す図１の正面図である。
【図４】  本発明の第２実施の形態を示す縦断側面図である。
【図５】  第２実施の形態の扉体とポンプ本体部の分離状態を示す拡大斜視図である。
【図６】  図３の平面図である。
【図７】  本発明の第１実施の形態の変形例を示す縦断側面図である。
【図８】  図７の変形例の扉体とポンプの分離状態を示す拡大斜視図である。
【図９】  本発明の第２実施の形態の変形例を示す縦断側面図である。
【図１０】  図９の変形例の扉体とポンプ本体部の分離状態を示す拡大斜視図である。
【図１１】  従来例の縦断側面図である。
【図１２】  図１１のＡ−Ａ矢視図である。
【符号の説明】
１  内水域（一方の水域）
２  外水域（他方の水域）
３  止水ゲート扉体
４  ゲート脚
４Ａ  呑口
５  横軸排水ポンプ
７  開閉手段設置床
７Ａ  開口部
８  開閉手段
１４  昇降案内溝
１７  ポンプ保持板
５０  ポンプ本体部
５１  逆流防止弁部
Ｔ  厚さ
ｗ１  幅方向の間隔
【図１】
0003887559.tif 000002
【図２】
0003887559.tif 000003
【図３】
0003887559.tif 000004
【図４】
0003887559.tif 000005
【図５】
0003887559.tif 000006
【図６】
0003887559.tif 000007
【図７】
0003887559.tif 000008
【図８】
0003887559.tif 000009
【図９】
0003887559.tif 000010
【図１０】
0003887559.tif 000011
【図１１】
0003887559.tif 000012
【図１２】
0003887559.tif 000013